(57)【要約】  【課題】引出し装置を備えた冷蔵庫に関し、ガタツキの少ない高品位かつ荷重を加えても操作力の小さい自閉性のある使い勝手の良い引出しを有する冷蔵庫を提供することを目的とする。  【解決手段】レール部材３１は固定レール３１ａと、移動レール３１ｂと、固定レール３１ａとを予め組み込んだ状態で固定レール３１ａを内箱２０の両側壁面に固定し、扉２９，３０を自閉させる自閉手段をレール部材３１に設けることで、滑らかに移動レール３１ｂが移動でき、断熱箱体１９と扉２９，３０の気密性が向上し、消費電力量の削減と引出しの操作性を向上することができ、冷蔵庫の使い勝手の向上を図ることができる。【選択図】図４
2006153441.tif 000002
【特許請求の範囲】
【請求項１】
内箱と、外箱と、前記内箱と前記外箱との間に充填した断熱材とを備えた前面開口部を有する断熱箱体と、前記断熱箱体の内部に備えられた容器と、前記容器の前面側に備えられた扉とを有した引出し式貯蔵室において、前記容器を前後に移動可能とするレール部材を備え、前記レール部材は前記断熱箱体側に備えられた固定レールと、前記扉側に備えられた移動レールと前記固定レールと前記移動レールとを連結する中間走行レールとを有し、前記レール部材に備えられた扉を自閉させる自閉手段を備え、前記自閉手段はレール部材に配設されるとともにバネの弾性を利用したものである冷蔵庫。
【請求項２】
扉の自閉力を扉に作用する負荷量等により変化させることを特徴とする請求項１に記載の冷蔵庫。
【請求項３】
扉の自閉距離を扉に作用する負荷量等により変化させることを特徴とする請求項１または２に記載の冷蔵庫。
【請求項４】
扉の全閉状態で自閉手段の自閉力を残留させる請求項１から３のいずれか一項に記載の冷蔵庫。
【発明の詳細な説明】
【技術分野】
【０００１】
本発明は、引出し装置を備えた冷蔵庫に関し、特に引出しレール取付けの構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図６は、従来の冷蔵庫の引出し式扉の斜視図である。図７は従来の冷蔵庫の引出し装置の要部断面図である。図８は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラ３と、内箱側壁４に固定，取付けられた前記フレーム２と可動ローラ３を摺動支持する固定レール５と固定ローラ６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラ３を、冷蔵庫本体側にあらかじめ取り付けた固定レール５の溝部１２に挿入し、フレーム２の底面と固定ローラ６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラ３が、固定レール５と固定ローラ６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付ばらつき、組立性を考慮して、組み込み状態でレールとローラ間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても操作力の小さい使い勝手の良い引出しを有する冷蔵庫を提供することを目的とする。
【課題を解決するための手段】
【０００９】
上記従来の課題を解決するために、本発明の冷蔵庫は、内箱と、外箱と、前記内箱と前記外箱との間に充填した断熱材とを備えた前面開口部を有する断熱箱体と、前記断熱箱体の内部に備えられた容器と、前記容器の前面側に備えられた扉とを有した引出し式貯蔵室において、前記容器を前後に移動可能とするレール部材を備え、前記レール部材は前記断熱箱体側に備えられた固定レールと、前記扉側に備えられた移動レールと前記固定レールと前記移動レールとを連結する中間走行レールとを有し、前記レール部材に備えられた扉を自閉させる自閉手段を備え、前記自閉手段はレール部材に配設されるとともにバネの弾性を利用したものである。
【００１０】
これによって固定レールと移動レールとのクリアランスを小さくすることができ、ガタの少ない高品位な引出しを構成することができるとともに、自閉手段を有することで断熱箱体と扉との気密性が向上し、操作感のよい引出しを構成することができる。
【発明の効果】
【００１１】
本発明の冷蔵庫は、ガタが小さく、容器に荷重を加えた場合でも滑らかに引出しを開閉し自閉することができ、高品位で使い勝手の良い引出し収納を構成することができる。
【発明を実施するための最良の形態】
【００１２】
請求項１に記載の発明は、内箱と、外箱と、前記内箱と前記外箱との間に充填した断熱材とを備えた前面開口部を有する断熱箱体と、前記断熱箱体の内部に備えられた容器と、前記容器の前面側に備えられた扉とを有した引出し式貯蔵室において、前記容器を前後に移動可能とするレール部材を備え、前記レール部材は前記断熱箱体側に備えられた固定レールと、前記扉側に備えられた移動レールと前記固定レールと前記移動レールとを連結する中間走行レールとを有し、前記レール部材に備えられた扉を自閉させる自閉手段を備え、前記自閉手段はレール部材に配設されるとともにバネの弾性を利用したものであり、固定レールと移動レールとのクリアランスを小さくすることができ、ガタの少ない高品位な引出しを構成することができるとともに、自閉手段を有することで、断熱箱体と扉との気密性が向上し、消費電力量の削減と操作感のよい引出しを構成することができる。
【００１３】
また、自閉手段をレール部材に配設することで、自閉手段スペースを最小限にすることができ食品収納スペースを向上させることができる。更に自閉することにより操作感の向上を図ることができる。
【００１４】
また、扉を自閉させる自閉手段は、バネの弾性を利用したものであり、バネの弾性を利用することで温度変化に対する影響を少なくすることができる。また、構成要素が簡素であるため自閉性のばらつきを押さえることができる。
【００１５】
請求項２に記載の発明は、請求項１に記載の発明において、扉の自閉力を扉に作用する負荷量等により変化させるものであり、扉のサイズ、扉に作用する負荷量により自閉力を変えるため木目細かな扉の操作性を実現することができる。
【００１６】
請求項３に記載の発明は、請求項１または２に記載の発明において、扉の自閉距離を扉に作用する負荷量等により変化させるものであり、扉の位置、扉のサイズ、扉に作用する負荷量により自閉距離を変えるため断熱箱体と扉との気密性が向上し、木目細かな扉の操作性を実現することができる。
【００１７】
請求項４に記載の発明は、請求項１から３のいずれか一項に記載の発明において、扉の全閉状態で自閉手段の自閉力を残留させるものであり、扉と断熱箱体とのシール性をさらに高めることができる。
【００１８】
以下、本発明の実施の形態について、図面を参照しながら説明する。なお、この実施の形態によってこの発明が限定されるものではない。
【００１９】
（実施の形態１）
図１は本発明の実施の形態１における冷蔵庫の横断面図、図２は図１のＡ−Ａ断面図、図３は同実施の形態の冷蔵庫の概略組立図、図４は、同実施の形態の冷蔵庫のレール部材の分解組立図、図５は、同実施の形態の冷蔵庫のレール部材の断面図である。
【００２０】
図１から図５において、冷蔵庫１８の断熱箱体１９は内箱２０と外箱２１との間に発泡断熱材２２を充填したものであり、前面開口部１９ａを有し、仕切壁２３、２３ａ、２６により、上部より冷蔵室２４、切替室２５、野菜室２７、冷凍室２８を形成している。
【００２１】
また、仕切壁２６の上部に配置する野菜室２７は冷却温度が５℃程度、下部に配置する冷凍室２８は冷却温度が−２０℃程度というように仕切壁２６を介して上下に異なる温度帯に設定されている。
【００２２】
野菜室２７と冷凍室２８とはそれぞれ前面開口部１９ａを扉２９と扉３０にて閉塞され、更に野菜室２７と扉２９および冷凍室２８と扉３０とはそれぞれレール部材３１にて連結されることにより前後方向に引出し摺動可能となっている。
【００２３】
また、扉１９を自閉させる自閉手段を有することで断熱箱体１９と扉２９、３０との確実な気密性確保が可能となっている。
【００２４】
レール部材３１は固定レール３１ａと、移動レール３１ｂと、固定レール３１ａと移動レール３１ｂとの間に備えられた中間走行レール３１ｃと、中間走行レール３１ｃと固定レール３１ａおよび移動レール３１ｂとの係合を支持する回転支持部材である複数のベアリング３１ｄとからなり、固定レール３１ａと移動レール３１ｂと中間走行レール３１ｃとベアリング３１ｄとを予め組み込んだ状態で固定レール３１ａを内箱２０の両側壁面に固定し、移動レール３１ｂをそれぞれの貯蔵室ドアに固定することでそれぞれの貯蔵室と貯蔵室ドアとを連結している。ここで、図記しないが、レール部材３１は、貯蔵室を区画する仕切壁２６に固定してもよい。
【００２５】
なお、固定レール３１ａと移動レール３１ｂと、固定レール３１ａと移動レール３１ｂとの間にベアリング３１ｄを介して配設した中間走行レール３１ｃとからなるレール部材３１は予め組み込んだものであり、爪４１と自閉ユニット４２は断熱箱体１９に影響されず固定することができる。ここで、冷蔵庫奥行きに十分なスペースがある場合、中間走行レールがなく固定レールと移動レール間に回転支持部材を配設してもかまわない。
【００２６】
更に内箱２０の両側壁面に固定された左右のレール部材３１は左右対称の形状を有し、左右共に備えることでより良い摺動性を発揮する。
【００２７】
各貯蔵室の容器３２はレール部材３１を内箱２０に固定後にレール部材３１の移動レール３１ｂに支持し、各貯蔵室ドアを前後方向に引出すのと同期して移動レール３１ｂと共に前後に移動し、更に各貯蔵室ドアを少なくとも全開した時に容器３２は上方向に着脱自在となっている。
【００２８】
また、ベアリング３１ｄは回転支持部材であればよく、たとえばローラ等を用いてもよい。
【００２９】
自閉手段は、左右一対のレール部材３１に配設されており、爪４１と自閉ユニット４２で構成され、自閉ユニット４２はフック４３とバネ４４を配設している。爪４１は移動レール３１ｂに固定されており、自閉ユニット４２は固定レール３１ａに固定されている。
【００３０】
ここで、扉２９，３０を前後方向に開時、爪４１と前記爪４１と係合しているフック４３が扉２９、３０と同期し移動する、ある一定距離Ｌ（自閉距離）移動後爪４１とフック４３の係合が外れフック４３はその位置で保持される。閉時は、開時の逆となり爪４１とフック４３が係合するとバネ４４の弾性力Ｆ（自閉力）により引き戻され扉２９，３０は断熱箱体１９と嵌合する。ここで、図示しないが、自閉手段を持つ事でガスケット５０内のマグネットを廃止することができ、前面開口部１９ａを金属にする必要がなくなり、冷蔵庫１８の消費電力量低減とコスト削減が可能となる。
【００３１】
また、自閉力Ｆ及び自閉距離Ｌは、Ｆ＝ＫＬ、Ｆ＞ｆ、（ただし、Ｋ：バネ定数、ｆ：扉に作用する負荷量）で表すことができ、負荷量ｆに合せバネ定数Ｋ、自閉距離Ｌを変えることで自閉力、自閉距離を調整することが可能となる。また、負荷量だけでなく、扉位置や、断熱箱体と扉との嵌合強化等を考慮し自閉力、自閉距離を変えることも可能である。
【００３２】
また、扉２９、３０の全閉状態で自閉手段であるバネ４４の弾性力Ｆ（自閉力）を残留させるように設定されている。
【００３３】
以上のように構成された冷蔵庫について、以下その動作、作用を説明する。
【００３４】
まず、各貯蔵室ドアを手前に引出すと各貯蔵室の両側部に備えられたレール部材３１の移動レール３１ｂと中間走行レール３１ｃとがベアリング３１ｄが回転することにより滑らかに手前側に摺動する。その際、爪４１と前記爪４１と係合しているフック４３が扉２９、３０と同期し移動する、ある一定距離Ｌ（自閉距離）移動後爪４１とフック４３の係合が外れフック４３はその位置で保持される。閉時は、開時の逆となり爪４１とフック４３が係合するとバネ４４の弾性力Ｆ（自閉力）により引き戻され扉２９，３０は断熱箱体と嵌合する。
【００３５】
それに伴い、レール部材３１に支持された容器３２も手前に引出され、容器３２内に収納された被冷却物の取出し及び新たな被冷却物の収納が可能となる。
【００３６】
以上のように本実施の形態においては固定レール３１ａと移動レール３１ｂとをあらかじめ組み込んだ状態のレール部材３１に自閉手段を配設することにより断熱箱体１９と扉２９，３０の気密性が向上し、消費電力量の削減と操作感の良い引出しを構成することができる。また、断熱箱体１９に影響されず、爪４１とフック４３を係合することができ安定性の高い自閉構造にすることができる。また、固定レール３１ａと移動レール３１ｂとの間を回転支持部材であるベアリング３１ｄで支持することにより容器３２に荷重を加えた場合でも滑らかに移動レール３１ｂが移動できるので引出しの操作力を低減することができ、使い勝手の向上を図ることができる。
【００３７】
また、バネの弾性で自閉させるため、温度変化の影響を少なくすることができ、構成要素が簡素であるため、自閉性のばらつきを押さえることができる。
【００３８】
また、自閉力、自閉距離を容易に変えることができ、木目細かな操作性を実現できる。
【００３９】
また、中間走行レール３１ｃを備えることによりレール部材３１の移動レール３１ｂの引出し代を大きくすることができるので容器３２の奥部まで引き出す事ができ、容器３２の奥部まで見渡すことが可能となり、容器３２内の被冷却物の使い忘れによるロスを防止したり、容器３２をレール部材３１に着脱することが容易となるので使い勝手の向上を図ることができる。
【００４０】
また、扉２９、３０の全閉状態で自閉手段であるバネ４４の弾性力Ｆ（自閉力）を残留させるように設定されているので、扉と断熱箱体とのシール性をさらに高めることができ消費電力量の更なる低減が可能となる。
【００４１】
なお、本実施の形態では、野菜室２７と冷凍室２８にレール部材３１を用いたもので説明したが、引出し容器を備えた貯蔵室に適宜適用できる。たとえば、野菜室２７の上部に位置する切替室２５や、切替室２５の横に併設した製氷室（図示せず）等に用いてもよい。
【産業上の利用可能性】
【００４２】
以上のように、本発明にかかる冷蔵庫は、ガタが小さく、容器に荷重を加えた場合でも滑らかに引出しを開閉し自閉することができ、高品位で使い勝手の良い引出し収納ができるので、冷凍装置を備えた冷却貯蔵庫の引出し装置等の用途にも適用できる。
【図面の簡単な説明】
【００４３】
【図１】本発明の実施の形態１における冷蔵庫の横断面図
【図２】図１のＡ−Ａ断面図
【図３】同実施の形態の冷蔵庫の概略組立図
【図４】同実施の形態の冷蔵庫のレール部材の分解組立図
【図５】同実施の形態の冷蔵庫のレール部材の断面図
【図６】従来の冷蔵庫の引出し式扉の斜視図
【図７】従来の冷蔵庫の引出し装置の要部断面図
【図８】従来の冷蔵庫の引出し装置の断面図
【符号の説明】
【００４４】
１８  冷蔵庫
１９  断熱箱体
１９ａ  前面開口部
２０  内箱
２１  外箱
２２  発泡断熱材
２９、３０  扉
３１  レール部材
３１ａ  固定レール
３１ｂ  移動レール
３２  容器
４２  自閉ユニット
４４  バネ
【図１】
2006153441.tif 000003
【図２】
2006153441.tif 000004
【図３】
2006153441.tif 000005
【図４】
2006153441.tif 000006
【図５】
2006153441.tif 000007
【図６】
2006153441.tif 000008
【図７】
2006153441.tif 000009
【図８】
2006153441.tif 000010